(57)【特許請求の範囲】
【請求項１】
四枚の矩形状の板体からなり一枚の前記板体が互いに二枚の他の前記板体とのみ接して形成され前記板体を有しない向かい合う一組の面が開口した開口面である直方体状の箱体が、部屋の壁から前方へ突出するように少なくとも二つ取付けられてなる猫用遊具において、
前記板体に猫が通過可能な大きさの孔を備え、
前記開口面が左右又は前後に位置するように二つの前記箱体を上下に重ね合わせるとともに、上側の前記箱体の下面の孔の位置と下側の前記箱体の上面の孔の位置とを合わせ、
しかも前記上側の箱体の下面の孔が前記板体の中心からずらして形成され、
さらに、前記上側の箱体の左右端を前記下側の箱体の左右端とはずらして配置したことを特徴とする猫用遊具。
【請求項２】
四枚の矩形状の板体からなり一枚の前記板体が互いに二枚の他の前記板体とのみ接して形成され前記板体を有しない向かい合う一組の面が開口した開口面である直方体状の箱体が、部屋の壁から前方へ突出するように少なくとも二つ取付けられてなる猫用遊具において、
前記板体に猫が通過可能な大きさの丸孔を備え、
前記開口面が左右又は前後に位置するように二つの前記箱体を上下に重ね合わせるとともに、上側の前記箱体の下面の丸孔の位置と下側の前記箱体の上面の丸孔の位置とを合わせ、
しかも前記上側の箱体の下面の丸孔が前記板体の中心からずらして形成され、
さらに、前記上側の箱体の左右端を前記下側の箱体の左右端に一致させて配置したことを特徴とする猫用遊具。
【請求項３】
前記上側の箱体の前後端を前記下側の箱体の前後端とはずらして配置したことを特徴とする請求項１又は２に記載の猫用遊具。
【請求項４】
四枚の矩形状の板体からなり一枚の前記板体が互いに二枚の他の前記板体とのみ接して形成され前記板体を有しない向かい合う一組の面が開口した開口面である直方体状の箱体が、部屋の壁から前方へ突出するように少なくとも二つ取付けられてなる猫用遊具において、
前記板体に猫が通過可能な大きさの孔を備え、
一方の前記箱体の前記開口面が上下に位置し他方の前記箱体の前記開口面が左右又は前後に位置するように二つの前記箱体を上下に重ね合わせ、
しかも前記他方の箱体の、前記一方の箱体側の面の孔が前記板体の中心からずらして形成されたことを特徴とする猫用遊具。
【請求項５】
四枚の矩形状の板体からなり一枚の前記板体が互いに二枚の他の前記板体とのみ接して形成され前記板体を有しない向かい合う一組の面が開口した開口面である直方体状の箱体が、部屋の壁から前方へ突出するように少なくとも二つ取付けられてなる猫用遊具において、
前記板体に猫が通過可能な大きさの孔を備え、
前記箱体の前記開口面が左右又は前後に位置しかつ下側の前記箱体の上面の孔を上側の前記箱体が上方から覆わないように二つの前記箱体を上下に重ね合わせるとともに、
下側の箱体の上面の孔が前記板体の中心からずらして形成されたことを特徴とする猫用遊具。
【発明の詳細な説明】
【技術分野】
【０００１】
本発明は、部屋の壁から前方へ突出するように箱体が取付けられてなる猫用遊具に関するものである。
【背景技術】
【０００２】
猫は高い位置を好む性質があり、室内で飼う場合には箪笥等の上の高所で寛ぐことが多い。
しかし、猫が箪笥の上に登ったときに、箪笥の上に置いている物が落下する危険があった。
また近年、住宅事情が変化して箪笥をウォークインクローゼットに収納するようになり、居室には箪笥等の大型家具を置かなくなったので、猫が室内において高所で寛げる場所が少なくなった。
【０００３】
そこで、猫を寛がせる又は室内で遊ばせるための猫用遊具が開示されている（例えば、特許文献１参照）
【先行技術文献】
【特許文献】
【０００４】
【特許文献１】特開２０１０−１１７６１号公報
【０００５】
この猫用遊具は、部屋の壁に箱体を複数取付けてなり、その箱体が階段状（箱体同士が離間しているものも含む）に配置される。
箱体のそれぞれは、四枚の矩形状の板体からなり一枚の板体が互いに二枚の他の板体とのみ接して形成された立方体であり、板体を有しない向かい合う一組の面が、開口した開口面となっている。
そして、開口面が左右又は前後に位置するようにその箱体が壁に配置される。開口面を左右に位置するようにしたときには、猫が開口面から箱体に出入り可能である。
また、板体には覗き穴が形成されており、飼い主が覗き穴から猫の様子を見ることができる。
【０００６】
この猫用遊具によると、箱体が階段状に配置されてなるので、猫が箱体を登ることができ、部屋の上方で猫が寛いだり、遊んだりすることができる。
また、この猫用遊具は猫専用に設けたものであるので、飼い主の物が猫用遊具の上に置かれることがなく、猫が猫用遊具を使用したときに物が落下することもない。
【発明の概要】
【発明が解決しようとする課題】
【０００７】
しかしながら、猫が部屋の上方まで登るためには箱体を階段状に配置しなければならない、すなわち階段状に箱体を配置しないと猫が箱体を登れないので、箱体（猫用遊具）のレイアウトが制限されるというデザイン上の問題がある。
【０００８】
そこで、本発明の目的とするところは、箱体のレイアウトに自由度があり、しかも猫が登り易い猫用遊具を提供することにある。
【課題を解決するための手段】
【０００９】
上記の目的を達成するために、本発明の猫用遊具（１００）は、四枚の矩形状の板体（１１）からなり一枚の前記板体（１１）が互いに二枚の他の前記板体（１１）とのみ接して形成され前記板体（１１）を有しない向かい合う一組の面が開口した開口面（１３）である直方体状の箱体（１０）が、部屋の壁（Ｗ）から前方へ突出するように少なくとも二つ取付けられてなる猫用遊具（１００）において、前記板体（１１）に猫が通過可能な大きさの孔（１２）を備え、前記開口面（１３）が左右又は前後に位置するように二つの前記箱体（１０）を上下に重ね合わせるとともに、上側の前記箱体（１０）の下面（１１ｂ）の孔（１２）の位置と下側の前記箱体（１０）の上面（１１ａ）の孔（１２）の位置とを合わせ、しかも前記上側の箱体（１０）の下面（１１ｂ）の孔（１２）が前記板体（１１）の中心からずらして形成され、
さらに、前記上側の箱体（１０）の左右端を前記下側の箱体（１０）の左右端とはずらして配置したことを特徴とする
【００１０】
また、本発明の猫用遊具（１００）は、四枚の矩形状の板体（１１）からなり一枚の前記板体（１１）が互いに二枚の他の前記板体（１１）とのみ接して形成され前記板体（１１）を有しない向かい合う一組の面が開口した開口面（１３）である直方体状の箱体（１０）が、部屋の壁（Ｗ）から前方へ突出するように少なくとも二つ取付けられてなる猫用遊具（１００）において、前記板体（１１）に猫が通過可能な大きさの丸孔（１２）を備え、前記開口面（１３）が左右又は前後に位置するように二つの前記箱体（１０）を上下に重ね合わせるとともに、上側の前記箱体（１０）の下面（１１ｂ）の丸孔（１２）の位置と下側の前記箱体（１０）の上面（１１ａ）の丸孔（１２）の位置とを合わせ、しかも前記上側の箱体（１０）の下面（１１ｂ）の丸孔（１２）が前記板体（１１）の中心からずらして形成され、
さらに、前記上側の箱体（１０）の左右端を前記下側の箱体（１０）の左右端に一致させて配置したことを特徴とする。
【００１２】
また、本発明の猫用遊具（１００）は、前記上側の箱体（１０）の前後端を前記下側の箱体（１０）の前後端とはずらして配置したことを特徴とする。
【００１３】
また、本発明の猫用遊具（１００）は、四枚の矩形状の板体（１１）からなり一枚の前記板体（１１）が互いに二枚の他の前記板体（１１）とのみ接して形成され前記板体（１１）を有しない向かい合う一組の面が開口した開口面（１３）である直方体状の箱体（１０）が、部屋の壁（Ｗ）から前方へ突出するように少なくとも二つ取付けられてなる猫用遊具（１００）において、前記板体（１１）に猫が通過可能な大きさの孔（１２）を備え、一方の前記箱体（１０）の前記開口面（１３）が上下に位置し他方の前記箱体（１０）の前記開口面（１３）が左右又は前後に位置するように二つの前記箱体（１０）を上下に重ね合わせ、しかも前記他方の箱体（１０）の、前記一方の箱体（１０）側の面の孔（１２）が前記板体（１１）の中心からずらして形成されたことを特徴とする。
【００１４】
また、本発明の猫用遊具（１００）は、四枚の矩形状の板体（１１）からなり一枚の前記板体（１１）が互いに二枚の他の前記板体（１１）とのみ接して形成され前記板体（１１）を有しない向かい合う一組の面が開口した開口面（１３）である直方体状の箱体（１０）が、部屋の壁（Ｗ）から前方へ突出するように少なくとも二つ取付けられてなる猫用遊具（１００）において、前記板体（１１）に猫が通過可能な大きさの孔（１２）を備え、前記箱体（１０）の前記開口面（１３）が左右又は前後に位置しかつ下側の前記箱体（１０）の上面（１１ａ）の孔（１２）を上側の前記箱体（１０）が上方から覆わないように二つの前記箱体（１０）を上下に重ね合わせるとともに、下側の箱体（１０）の上面（１１ａ）の孔（１２）が前記板体（１１）の中心からずらして形成されたことを特徴とする。
【００１５】
ここで、上記括弧内の記号は、図面および後述する発明を実施するための形態に掲載された対応要素または対応事項を示す。
【発明の効果】
【００１６】
本発明の猫用遊具によれば、板体に猫が通過可能な大きさの孔を備え、上側の箱体の下面の孔の位置と下側の箱体の上面の孔の位置とを合わせたので、猫が箱体の中でジャンプし孔を介して一つ上の箱に移動可能である。従来のように階段状に配置することの他に、このように箱体を上下に重ね合わせるようにも配置することができるので、箱体のレイアウトに自由度がある。
また、このように箱体を上下に重ね合わせても、上側の箱体の下面の孔が板体の中心からずらして形成されたので、猫が登って着地する上側の箱体の下面に十分スペースがあり、猫が登り易い。
【００１７】
このとき、上側の箱体の左右端を下側の箱体の左右端とはずらして配置させることもできるし、一方、上側の箱体の左右端を下側の箱体の左右端に一致させて配置させることもできる。
【００１８】
また、上側の箱体の前後端を下側の箱体の前後端とはずらして配置させることもできる。
【００１９】
また、一方の箱体の開口面が上下に位置し他方の箱体の開口面が左右又は前後に位置するように二つの箱体を上下に重ね合わせても、同様に箱体のレイアウトに自由度があり、しかも猫が登り易い。
【００２０】
なお、本発明の猫用遊具のように、上側の前記箱体の下面の孔の位置と下側の前記箱体の上面の孔の位置とを合わせて箱体を上下に重ね合わせ、しかも前記上側の箱体の下面の孔が前記板体の中心からずらして形成された点は、上述した特許文献１には全く記載されていない。
【図面の簡単な説明】
【００２１】
【図１】本発明の実施形態に係る猫用遊具を示す斜視図である。
【図２】図１に示す猫用遊具における箱体を示す拡大斜視図である。
【図３】図１に示す猫用遊具における上下に重ねた二つの箱体を示す拡大正面図である。
【図４】図１に示す猫用遊具における上下に重ねた他の二つの箱体を示す拡大正面図である。
【図５】図１に示す猫用遊具における上下に重ねたさらに他の二つの箱体を示す拡大正面図である。
【図６】図１に示す猫用遊具における上下に重ねた他の二つの箱体を示す拡大正面図である。
【図７】図１に示す猫用遊具における上下に重ねた他の二つの箱体を示す拡大正面図である。
【発明を実施するための形態】
【００２２】
図１乃至図７を参照して、本発明の実施形態に係る猫用遊具１００を説明する。
この猫用遊具１００は、直方体状の箱体１０が、部屋の壁Ｗから前方へ突出するように少なくとも二つ取付けられてなる。
そして、特に箱体１０に形成された孔１２の位置と、箱体１０同士の配置を特徴とするものである。
【００２３】
箱体１０は、立方体状であり四枚の矩形状の板体１１からなる。
この板体１１は、二枚が正方形であり、他の二枚は板体１１二枚の厚さ分だけ横又は縦が他方よりも短い。そして、同じ大きさの板体１１同士が向かい合い、一枚の板体１１が互いに二枚の他の板体１１とのみ接することで箱体１０が形成されている。
また、向かい合う一組の面のうち、板体１１を有しない一組の面が開口した開口面１３となっている。
この箱体１０は一辺が３６０ｍｍである。
【００２４】
また、各板体１１に猫が通過可能な大きさ（ここでは直径１６０ｍｍ）の孔１２を備える。
ここで、各板体１１には基本的には一つずつ孔１２が形成されているが、孔１２が形成されていない板体１１があってもよい。
また、各板体１１において孔１２が形成される位置は、孔１２の中心が板体１１の中心に一致するもの、及び孔１２の中心が板体１１の中心からずれたものがある。孔１２の中心が板体１１の中心からずれたものは、孔１２の中心が箱体１０の端部から１２０ｍｍの位置に配置した。この中心からずれたものの中には、一方向（縦又は横方向）は中心からずれ他方向（横又は縦方向）は中心に配置されるもの、及び両方向とも各方向の中心からずれたものがある。
【００２５】
このような箱体１０が複数、部屋の壁Ｗに取付けられて猫用遊具１００はなる（図１参照）。箱体１０の壁Ｗへの固定方法は、特に限定されず既知の方法が適宜用いられる。
ここでは、箱体１０同士が上下に重ね合わせられることについて特徴を有するので、猫用遊具１００のうち二つの箱体１０に着目して、上下の箱体１０の組合せ方について説明する。
【００２６】
以下で説明するいずれの場合も二つの箱体１０は外寸が互いに等しい。また、図３乃至図７においては、上側の箱体１０の下面１１ｂの孔１２、及び下側の箱体１０の上面１１ａの孔１２以外の孔１２の記載を省略した。
【００２７】
（第一実施形態）
本実施形態では図３に示すように、開口面１３が左右に位置するように二つの箱体１０が上下に重ね合わせられる。
上側の箱体１０の下面１１ｂの孔１２、及び下側の箱体１０の上面１１ａの孔１２はそれぞれ板体１１の中心からずらして形成された。そのずらした量と方向は両者同じである。
そして、上側の箱体１０の下面１１ｂの孔１２の位置と下側の箱体１０の上面１１ａの孔１２の位置とが合わせられ、二つの箱体１０は連通される。
このとき、上側の箱体１０の左右端は下側の箱体１０の左右端に一致した。
【００２８】
（第二実施形態）
本実施形態では図４に示すように、開口面１３が左右に位置するように二つの箱体１０が上下に重ね合わせられる。
上側の箱体１０の下面１１ｂの孔１２は板体１１の中心からずらして形成された。
一方、下側の箱体１０の上面１１ａの孔１２は板体１１の中心に形成されている。
そして、上側の箱体１０の下面１１ｂの孔１２の位置と下側の箱体１０の上面１１ａの孔１２の位置とが合わせられ、二つの箱体１０は連通される。
このとき、上側の箱体１０の左右端は下側の箱体１０の左右端とはずれている。
【００２９】
（第三実施形態）
本実施形態では図５に示すように、開口面１３が左右に位置するように二つの箱体１０が上下に重ね合わせられる。
上側の箱体１０の下面１１ｂの孔１２は板体１１の中心から左にずらして形成された。
一方、下側の箱体１０の上面１１ａの孔１２は板体１１の中心から右にずらして形成されている。
そして、上側の箱体１０の下面１１ｂの孔１２の位置と下側の箱体１０の上面１１ａの孔１２の位置とが合わせられ、二つの箱体１０は連通される。
このとき、上側の箱体１０の左右端は下側の箱体１０の左右端とは、第二実施形態の場合よりも大きくずれている。
【００３０】
（第四実施形態）
本実施形態では図６に示すように、上側の箱体１０の開口面１３が上下に位置し、下側の箱体１０の開口面１３が左右に位置するように二つの箱体１０を上下に重ね合わせた。
下側の箱体１０の上面１１ａの孔１２は板体１１の中心から右にずらして形成されている。
また、下側の箱体１０の上面１１ａの孔１２を上側の箱体１０が上方から覆わないようにして、上側の箱体１０の開口面１３と下側の箱体１０の上面１１ａの孔１２が連通させた。
【００３１】
（第五実施形態）
本実施形態では図７に示すように、上側の箱体１０の開口面１３が上下に位置し、下側の箱体１０の開口面１３が左右に位置するように二つの箱体１０を上下に重ね合わせる。
ここで、下側の箱体１０の上面１１ａの孔１２が板体１１の中心から右側にずらして形成されている。
そして、この下側の箱体１０の上面１１ａの孔１２が露出するように、上側の箱体１０は左にずらして配置した。
この場合、図７の破線矢印で示すように、猫が登るときに猫の体は一旦箱体１０から出るようになる。
【００３２】
猫用遊具１００においては、第一乃至第五実施形態に係る箱体１０以外にも、例えばこれよりも小さい一辺１８０ｍｍの箱体２０を組合せて構成することもできる。この小さな箱体２０の板体には孔が形成されていても形成されていなくてもどちらでもよい。
【００３３】
以上のように構成された猫用遊具１００によれば、板体１１に猫が通過可能な大きさの孔１２を備えたので、猫が箱体１０の中でジャンプし孔１２を介して一つ上の箱に移動可能である。従来のように階段状に配置することの他に、このように箱体１０を上下に重ね合わせるようにも配置することができるので、箱体１０のレイアウトに自由度がある。
【００３４】
また、このように箱体１０を上下に重ね合わせても、上側の箱体１０の下面１１ｂの孔１２が板体１１の中心からずらして形成されたので、猫が登って着地する上側の箱体１０の下面１１ｂに十分スペースがあり、猫が登り易い。猫の移動の軌跡を図３乃至図７において破線矢印で示した。
この十分なスペースとは、図３乃至図５，図７では上側の箱体１０の下面１１ｂ右側、図６では上側の箱体１０の下面１１ｂ左側である。
【００３５】
なお、本実施形態において箱体１０を立方体型としたが、これに限られるものではなく、直方体型であってもよい。
また、箱体１０の開口面１３が左右に位置するように配置したが、これに限られるものではなく、開口面１３は前後であってもよい。
【００３６】
また、上下に重ねる箱体１０は両者外寸が等しいとしたが、これに限られるものではなく、異なる大きさであってもよい。
【００３７】
第四実施形態において、上側の箱体１０の開口面１３が上下に位置し、下側の箱体１０の開口面１３が左右に位置するように二つの箱体１０を上下に重ね合わせたが、これに限られるものではなく、これとは上下逆であってもよい。すなわち、下側の箱体１０の開口面１３が上下に位置し、上側の箱体１０の開口面１３が左右に位置するように二つの箱体１０を上下に重ね合わせてもよい。
【００３８】
また、上側の箱体１０の前後端を下側の前後端とはずらして配置してもよい。このとき、一方の箱体１０が壁Ｗから離間するが、箱体１０同士を固定すればよい。
【符号の説明】
【００３９】
１０      箱体
１１      板体
１１ａ    上面
１１ｂ    下面
１２      孔
１３      開口面
２０      箱体
１００      猫用遊具
Ｗ      壁
【図１】
0006438789.tif 000002
【図２】
0006438789.tif 000003
【図３】
0006438789.tif 000004
【図４】
0006438789.tif 000005
【図５】
0006438789.tif 000006
【図６】
0006438789.tif 000007
【図７】
0006438789.tif 000008